(57)【特許請求の範囲】
【請求項１】
多条植え用苗載台を有する植付部と、多条施肥用ホッパを有する施肥機を走行車に装設させると共に、走行車の運転席後側に固定させる中央施肥部と、中央施肥部両側に折畳み自在に連結させる左右施肥部と、左右いずれか一側に配設させる送肥ブロワを、前記施肥機に備え、前記の左右施肥部を機体前方に約１８０度折畳んで運転席の側方で固定させる回動支点軸を中央施肥部よりも機外側に配設してなる田植機において、前記中央施肥部の中央施肥フレームに支点アームを固定し、支点アームに前記回動支点軸を介して回動アームを水平方向に回転自在に連結し、前記左右施肥部の左右施肥フレームに前記回動アームを固定し、左右施肥部を前記回動支点軸に所定高さだけ上昇自在に取付け、作業位置の左右施肥部を上方に持上げ乍ら収納位置に回動させるように構成したことを特徴とする田植機。
【発明の詳細な説明】
【０００１】
【発明の属する技術分野】
本発明は例えば苗載台及び植付爪を備えて連続的に苗植作業及び側条施肥作業を行う田植機に関する。
【０００２】
【発明が解決しようとする課題】
従来、多条施肥用ホッパ及び繰出ケースなどを左右方向に並設させることにより、走行車を搭載する運搬用トラック荷台から機外側のホッパなどが突出し易く、施肥機の多条大型化によって走行車を容易に運搬し得ない不具合がある。
【０００３】
【課題を解決するための手段】
然るに、本発明は、多条植え用苗載台を有する植付部と、多条施肥用ホッパを有する施肥機を走行車に装設させると共に、走行車の運転席後側に固定させる中央施肥部と、中央施肥部両側に折畳み自在に連結させる左右施肥部と、左右いずれか一側に配設させる送肥ブロワを、前記施肥機に備え、前記の左右施肥部を機体前方に約１８０度折畳んで運転席の側方で固定させる回動支点軸を中央施肥部よりも機外側に配設してなる田植機において、前記中央施肥部の中央施肥フレームに支点アームを固定し、支点アームに前記回動支点軸を介して回動アームを水平方向に回転自在に連結し、前記左右施肥部の左右施肥フレームに前記回動アームを固定し、左右施肥部を前記回動支点軸に所定高さだけ上昇自在に取付け、作業位置の左右施肥部を上方に持上げ乍ら収納位置に回動させるように構成したもので、下方の本機側部材に対して左右施肥部を上方に回避させて干渉を防止し得、左右施肥部を施肥作業位置または折畳み収納位置に容易に移行させ得、脱着部材または折畳み部材を少なくして左右施肥部の収納作業性向上などを容易に行い得る。また中央施肥部外側に回動支点軸を設けることによって収納位置の左右施肥部と走行車中央部の運転席との間の空間を容易に確保し得、左右施肥部折畳み収納時の運転席の作業者居住性向上などを容易に行い得るものである。
【０００４】
【発明の実施の形態】
以下、本発明の実施例を図面に基づいて詳述する。図１は乗用田植機の側面図、図２は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、乗降ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００５】
また、図中（１５）は１０条植え用の苗載台（１６）並びに１０条分の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側に支持フレーム（２３）を設け、該フレーム（２３）をヒッチフレーム（２４）に連結させ、トップリンク（２５）及びロワーリンク（２６）を含むリンク機構（２７）後部にヒッチフレーム（２４）を取付け、走行車（１）後側にリンク機構（２７）を介して植付部（１５）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００６】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は１０条用の側条施肥機である。
【０００７】
さらに、図２、図３、図４に示す如く、前記運転席（１３）両側の車体カバー（１２）両側に左右補助デッキ（３７）（３７）を固定させ、該デッキ（３７）（３７）前部に前記乗降ステップ（１１）（１１）を固定させると共に、前記補助デッキ（３７）（３７）後部の機外側に前後ブラケット（３８）（３８）及び位置決めバネ（３９）及び脚フレーム（４０）を介して左右サイドデッキ（４１）（４１）を起伏自在かつ脱着自在に連結させ、サイドデッキ（４１）を略水平に倒伏させたとき、脚フレーム（４０）を補助デッキ（３７）のパイプフレームに当接させて作業者の体重を支える一方、サイドデッキ（４１）を略垂直に起立させて上方に折畳み収納させるもので、前記バネ（３９）が補助デッキ（３７）に弾圧してサイドデッキ（４１）を起伏位置または起立位置に起伏自在に固定させると共に、前記ブラケット（３８）を脱着してサイドデッキ（４１）を脱着させるように構成している。
【０００８】
さらに、図２、図５乃至図１０に示す如く、６条用の中央施肥部（４２）と、各２条用の左右施肥部（４３）（４３）とに、前記施肥機（３６）を分割して構成すると共に、右施肥部（４３）機外側に送肥ブロワ（４４）を配設させる。また、６条分の施肥ホッパ（４５）と肥料繰出ケース（４６）…と施肥ホース（４７）…と合成樹脂パイプ製エアタンク（４８）を中央施肥部（４２）の中央施肥フレーム（４９）に配設させると共に、２条分の施肥ホッパ（４５）と肥料繰出ケース（４６）（４６）と施肥ホース（４７）（４７）と合成樹脂パイプ製エアタンク（４８）を左右施肥部（４３）（４３）の左右施肥フレーム（５０）（５０）に配設させる。
【０００９】
そして、前記中央施肥フレーム（４９）両端部の側板（５１）（５１）に支点アーム（５２）（５２）を一体固定させ、支点アーム（５２）に回動支点軸（５３）を介して回動アーム（５４）を水平方向に回転自在に連結させ、左右施肥フレーム（５０）（５０）の側板（５５）（５５）に回動アーム（５４）（５４）を一体固定させると共に、前記各側板（５１）（５５）をピン（５６）によって位置決め当接させてパッチン錠（５７）により接離自在に固定させ、中央施肥フレーム（４９）両側に左右施肥フレーム（５０）（５０）を一体固定させ、中央施肥部（４２）両側に左右施肥部（４３）（４３）を連設させて１０条施肥機（３６）を作業状態に組立てる一方、パッチン錠（５７）を外し、繰出ケース（４６）の動力を入切する条止めワイヤ（５８）（５８）を連結させた状態の左右施肥フレーム（５０）（５０）を回動支点軸（５３）回りに前方側に約１８０度回転させ、左右施肥フレーム（５０）（５０）の外側板（５９）（５９）部に固定させたサイドアーム（６０）（６０）を中央施肥フレーム（４９）の受アーム（６１）（６１）にノブボルト（６２）（６２）により着脱自在に固定させ、中央施肥フレーム（４９）前側に左右施肥フレーム（５０）（５０）を折畳み収納し、運転席（１３）両側にレバー（２９）（３０）（３１）取付け位置を隔てて左右施肥部（４３）（４３）を収納し、左右補助デッキ（３７）（３７）幅内に施肥機（３６）を支持させるように構成している。
【００１０】
また、右施肥フレーム（５０）の外側板（５９）に縦アーム（６３）下端部を固定させ、縦アーム（６３）上端部に昇降支点軸（６４）を介して昇降アーム（６５）を上下方向に回転自在に連結させ、前記送肥ブロワ（４４）を昇降アーム（６５）に取付けるもので、送肥ブロワ（４４）の側板（６６）を外側板（５９）に当接させてパッチン錠により着脱自在に固定させ、右施肥部（４３）機外側に送肥ブロワ（４４）を連設させ、送肥ブロワ（４４）の送風口（６７）をエアタンク（４８）に連通接続させ、ブロワ（４４）からエアタンク（４８）に肥料搬送風を供給させると共に、昇降支点軸（６４）回りに昇降アーム（６５）を約１８０度上昇回転させて折畳み収納し、右施肥部（４３）のホッパ（４５）上面に送肥ブロワ（４４）を載せ、前記各アーム（６３）（６５）をノブボルト（６８）によって着脱自在に固定させ、右施肥部（４３）上側に送肥ブロワ（４４）を収納するように構成している。
【００１１】
さらに、図１０に示す如く、前記車体フレーム（３）後端部上側に取付ける台フレーム（６９）に中央施肥フレーム（４９）を固定させると共に、補助デッキ（３７）のデッキフレーム（７０）に中央施肥フレーム（４９）を補強フレーム（７１）により連結させ、補助デッキ（３７）と中央施肥フレーム（４９）を相互に補強している。
【００１２】
さらに、図１、図２、図１１に示す如く、６条分の中央苗台（７２）と各２条分の左右苗台（７３）とに苗載台（１６）を分割して形成し、苗台支点軸（７４）（７４）回りに左右苗台（７３）（７３）を上昇させて中央苗台（７２）上側に折畳み収納させると共に、２条分の植付爪（１７）…及びフロート（３５）を備える左右植付ケース（２０）（２０）とこれを支える左右アーム（７５ａ）（７５ａ）を中央苗台（７２）後側の基アーム（７５ｂ）方向にケース支点軸（７５）回りに回動させて折畳み収納させ、また左右２条分の下部レール（１８）を左右植付ケース（２０）（２０）とともに折畳み収納させるもので、６条中央苗台（７２）左右幅（Ａ）よりも６条中央施肥部（４２）左右幅（Ｂ）を小さく形成し、各苗台（７２）（７３）（７３）左右幅（Ｃ）よりも各施肥部（４２）（４３）（４３）左右幅（Ｄ）を小さく形成し、植付部（１５）左右幅内前方に送肥ブロワ（４４）を設置させると共に、左右施肥部（４３）（４３）収納幅（Ｅ）を左右補助デッキ（３７）（３７）左右幅（Ｆ）と略等しく形成し、中央施肥部（４２）左右幅（Ｂ）よりも左右施肥部（４３）（４３）収納幅（Ｅ）を大きく形成し、左右補助デッキ（３７）（３７）左右幅（Ｆ）内に植付部（１５）両側２条分及び施肥機（３６）両側２条分と送肥ブロワ（４４）が折畳み収納される一方、収納位置の左右施肥部（４３）（４３）間と中央施肥部（４２）前側とで形成する平面視凹部（７６）に運転席（１３）及び各レバー（２９）（３０）（３１）を配設させ、かつ収納位置の左右施肥部（４３）（４３）前側と前方の呼び苗載台（１０）（１０）後側の間に作業者乗降スペース（Ｇ）（Ｇ）を形成し、左右施肥部（４３）（４３）収納状態下で前記スペース（Ｇ）を利用して作業者が運転席（１３）に乗降し、運転席（１３）に作業者が座乗して各レバー（２９）（３０）（３１）操作を行えるように構成している。
【００１３】
さらに、図１２に示す如く、２条分の２本の施肥ホース（４７）（２７）を接続させる２個のホースジョイント（７７）（７７）を単一の取付板（７８）に固定させ、左右施肥フレーム（５０）のフック（７９）にパッチン錠（８０）を係止させ、前記施肥フレーム（５０）に取付板（７８）を着脱自在に固定させ、施肥ホース（４７）を一端部に連結させたホースジョイント（７７）他端側の送風入口（８１）をエアタンク（４８）に着脱自在に嵌合連結させ、ホースジョイント（７７）の中間上面の肥料入口（８２）を前記肥料繰出ケース（４６）下面の肥料落下口に着脱自在に嵌合連結させ、前記ケース（４６）から落下する肥料をエアタンク（４８）からの送風によって施肥ホース（４７）に搬出させ、側条施肥作業を行うと共に、左右施肥フレーム（５０）を折畳み収納時、施肥フレーム（５０）から取付板（７８）を離脱させ、前記左右苗台（７２）を支える植付部（１５）のサイドフレーム（８３）のフック（８４）に取付板（７８）中間を係脱自在に係止させ、２本のホース（４７）（４７）及びホースジョイント（７７）（７７）を左右施肥部（４３）（４３）から取外してサイドフレーム（８３）に支持させるように構成している。
【００１４】
上記から明らかなように、多条植え用苗載台（１６）を有する植付部（１５）と、多条施肥用ホッパ（４５）を有する施肥機（３６）を走行車（１）に装設させると共に、走行車（１）の運転席（１３）後側に固定させる中央施肥部（４２）と、中央施肥部（４２）両側に折畳み自在に連結させる左右施肥部（４３）（４３）と、左右いずれか一側に配設させる送肥ブロワ（４４）を、前記施肥機（３６）に備える田植機において、前記の左右施肥部（４３）（４３）を機体前方に約１８０度折畳んで運転席（１３）の側方で固定させるもので、左右施肥部（４３）（４３）を走行車（１）機内側に折畳んで左右幅を縮少し、左右施肥部（４３）（４３）を取外すことなくトラックを用いて走行車（１）を運搬させると共に、左右施肥部（４３）（４３）を施肥作業位置または折畳み収納位置に容易に移行させ、また運転席（１３）側方に左右施肥部（４３）（４３）を固定させて収納させ、左右施肥部（４３）（４３）を走行車（１）内方に格納させた状態で運転席（１３）に作業者が乗降するスペースを走行車（１）側部に確保するように構成している。
【００１５】
また、左右施肥部（４３）（４３）の一方の上側に送肥ブロワ（４４）を折畳み収納させ、施肥機（３６）一側最機外側に配設させる送肥ブロワ（４４）をコンパクトに機内側に収納させ、また、走行車（１）両側の左右補助デッキ（３７）（３７）左右幅内に左右施肥部（４３）（４３）を折畳み収納させ、左右施肥部（４３）（４３）を折畳んだ状態の施肥機（３６）左右幅と走行車（１）左右幅を略一致させ、木枠による出荷梱包またはトラックでの運搬などの作業性を向上させると共に、中央施肥部（４２）の左右幅よりも折畳み位置の左右施肥部（４３）（４３）の左右幅を大きく形成し、走行車（１）上面の運転席（１３）または操作レバー（２９）（３０）（３１）などの取付け位置を回避して左右施肥部（４３）（４３）をコンパクトに機内側に収納させるように構成している。
【００１６】
さらに、多条植え用苗載台（１６）を有する植付部（１５）と、多条施肥用ホッパ（４５）を有する施肥機（３６）を走行車（１）に装設させると共に、走行車（１）の運転席（１３）後側に固定させる中央施肥部（４２）と、中央施肥部（４２）両側に折畳み自在に連結させる左右施肥部（４３）（４３）と、左右いずれか一側に配設させる送肥ブロワ（４４）を、前記施肥機（３６）に備える田植機において、前記の左右施肥部（４３）（４３）を機体前方に約１８０度折畳んで中央施肥部（４２）前側に平面視凹形空間（７６）を形成し、運転席（１３）または操作レバー（２９）（３０）（３１）を前記凹形空間（７６）内に設置するもので、左右施肥部（４３）（４３）を走行車（１）機内側に折畳んで左右幅を縮少し、左右施肥部（４３）（４３）を取外すことなくトラックを用いて走行車（１）を運搬させると共に、左右施肥部（４３）（４３）を施肥作業位置または折畳み収納位置に容易に移行させ、また左右施肥部（４３）（４３）を収納する中央施肥部（４２）前側に凹部空間（７６）を形成して運転席（１３）及び操作レバー（２９）（３０）（３１）を配置させ、左右施肥部（４３）（４３）を折畳んだ状態で運転席（１３）に作業者が座乗して走行移動させると共に、左右施肥部（４３）（４３）によって運転席（１３）の作業者が両側から保護されて路上走行を行えるように構成している。
【００１７】
また、走行車（１）前部の予備苗台（１０）（１０）と凹形空間（７６）の間に作業者乗降スペース（Ｇ）（Ｇ）を形成し、左右施肥部（４３）（４３）を折畳み収納した状態で作業者が走行車（１）に乗降できると共に、中央施肥部（４２）の施肥フレーム（４９）に左右施肥部（４３）（４３）の回動支点軸（５３）を取付け、肥料を送出する送風用エアタンク（４８）を利用して回動支点軸（５３）を設ける必要がなく、前記エアタンク（４８）を合成樹脂パイプなどによって形成して軽量化などを容易に行え、また、走行車（１）側方の補助デッキ（３７）を中央施肥部（４２）の施肥フレーム（４９）に連結させ、肥料を送出する送風用エアタンク（４８）を利用して補助デッキ（３７）を設ける必要がなく、前記エアタンク（４８）を合成樹脂パイプなどによって形成して軽量化などを容易に行え、しかも左右施肥部（４３）（４３）の複数条の施肥ホース（４７）（４７）を一体的に脱着自在に取付け、前記施肥ホース（４７）（４７）の脱着操作などを容易に行えて左右施肥部（４３）（４３）の折畳みまたは展開作業性の向上などを容易に図れるように構成している。
【００１８】
さらに、多条植え用苗載台（１６）を有する植付部（１５）と、多条施肥用ホッパ（４５）を有する施肥機（３６）を走行車（１）に装設させると共に、走行車（１）の運転席（１３）後側に固定させる中央施肥部（４２）と、中央施肥部（４２）両側に折畳み自在に連結させる左右施肥部（４３）（４３）と、左右いずれか一側に配設させる送肥ブロワ（４４）を、前記施肥機（３６）に備える田植機において、前記の左右施肥部（４３）（４３）を機体前方に約１８０度折畳んで運転席（１３）の側方で固定させる回動支点軸（５３）を中央施肥部（４２）よりも機外側に配設させ、左右施肥部（４３）（４３）を走行車（１）機内側に折畳んで左右幅を縮少し、左右施肥部（４３）（４３）を取外すことなくトラックを用いて走行車（１）を運搬させると共に、左右施肥部（４３）（４３）を施肥作業位置または折畳み収納位置に容易に移行させ、また中央施肥部（４２）外側に回動支点軸（５３）を設けることによって収納位置の左右施肥部（４３）（４３）と走行車（１）中央部の運転席（１３）との間の空間を容易に確保し、左右施肥部（４３）（４３）折畳み収納時の運転席（１３）の作業者居住性向上などを容易に行えるように構成している。
【００１９】
また、走行車（１）に脱着自在に設けるステップである車体カバー（１２）よりも機外側に左右施肥部（４３）（４３）の回動支点軸（５３）を配設させ、回動支点軸（５３）に妨げられることなく前記ステップ車体カバー（１２）の脱着を行え、走行車（１）の保守または修理などの作業性向上を容易に図れると共に、回動支点軸（５３）連結部から離れた左右施肥部（４３）（４３）位置を固定して収納させるもので、収納時の左右施肥部（４３）（４３）の支持強度を容易に確保し、輸送時などにおける左右施肥部（４３）（４３）のたわみ及び振動を低減させると共に、左右施肥部（４３）（４３）の支持構造の簡略化及び小型化を容易に行え、また図１０に示す如く、左右施肥部（４３）（４３）を回動支点軸（５３）に所定高さ（Ｈ）だけ上昇自在に取付け、作業位置の左右施肥部（４３）（４３）を上方に持上げ乍ら収納位置に回動させることにより、下方の本機側部材に対して左右施肥部（４３）（４３）を上方に回避させて干渉を防止し、脱着部材または折畳み部材を少なくして左右施肥部（４３）（４３）の収納作業性向上などを容易に行え、しかも図９の如く、左右施肥部（４３）（４３）が折畳み収納可能な長さに条止めワイヤ（５８）（５８）を形成し、左右施肥部（４３）（４３）に連結させる条止めワイヤ（５８）（５８）を取外すことなく左右施肥部（４３）（４３）を折畳み収納させるように構成している。
【００２０】
さらに、図１０に示す如く、ホッパ（４５）の残留肥料の排出などを行う掃除ホース（８３）を送肥ブロワ（４４）に着脱自在に連結させ、送肥ブロワ（４４）の送風力を利用して残留肥料及び肥料粉末などを飛散させて除去し、肥料またはこの粉末が吸湿固化して固着する不具合を容易になくすもので、施肥機（３６）全域に届く長さに前記ホース（８３）を形成すると共に、前記ホッパ（４５）前側空間にホルダにより収納保管するように構成している。
【００２１】
さらに、図１３に示す如く、送肥ブロワ（４４）の吸込口（８４）にアダプタ（８５）を介して掃除ホース（８３）の一端部を着脱自在に連結させると共に、正転スイッチ（８６）及び逆転スイッチ（８７）を送肥ブロワ（４４）のファンモータ（８８）に取付けるもので、正転スイッチ（８６）オン操作により、吸込口（８４）から送風口（６７）を介してエアタンク（４８）に空気を圧送させる方向にファンモータ（８８）を回転させ、ブロワ（４４）の送風によって肥料を搬出させると共に、逆転スイッチ（８７）オン操作によってファンモータ（８８）を逆転させ、エアタンク（４８）側から吸込んだ空気を吸込口（８４）から掃除ホース（８３）に圧送させ、該ホース（８３）からの送風によって残留肥料及びこの粉末をホッパ（４５）内部などから飛散させて除去させるように構成することも行える。
【００２２】
【発明の効果】
以上実施例から明らかなように本発明は、多条植え用苗載台（１６）を有する植付部（１５）と、多条施肥用ホッパ（４５）を有する施肥機（１６）を走行車（１）に装設させると共に、走行車（１）の運転席（１３）後側に固定させる中央施肥部（４２）と、中央施肥部（４２）両側に折畳み自在に連結させる左右施肥部（４３）と、左右いずれか一側に配設させる送肥ブロワ（４４）を、前記施肥機（３６）に備え、前記の左右施肥部（４３）を機体前方に約１８０度折畳んで運転席（１３）の側方で固定させる回動支点軸（５３）を中央施肥部（４２）よりも機外側に配設してなる田植機において、前記中央施肥部の中央施肥フレーム（４９）に支点アーム（５２）を固定し、支点アーム（５２）に前記回動支点軸（５３）を介して回動アーム（５４）を水平方向に回転自在に連結し、前記左右施肥部の左右施肥フレーム（５０）に前記回動アーム（５４）を固定し、左右施肥部（４３）を前記回動支点軸（５３）に所定高さ（Ｈ）だけ上昇自在に取付け、作業位置の左右施肥部（４３）を上方に持上げ乍ら収納位置に回動させるように構成したもので、下方の本機側部材に対して左右施肥部（４３）を上方に回避させて干渉を防止でき、左右施肥部（４３）を施肥作業位置または折畳み収納位置に容易に移行させることができ、脱着部材または折畳み部材を少なくして左右施肥部（４３）の収納作業性向上などを容易に行うことができる。また、中央施肥部（４２）外側に回動支点軸（５３）を設けるから、収納位置の左右施肥部（４３）と走行車（１）中央部の運転席（１３）との間の空間を容易に確保でき、左右施肥部（４３）折畳み収納時の運転席（１３）の作業者居住性向上などを容易に行うことができるものである。
【図面の簡単な説明】
【図１】田植機の全体の側面図である。
【図２】同平面図である。
【図３】補助デッキ部の平面図である。
【図４】同背面説明図である。
【図５】走行車の平面図である。
【図６】走行車左側の平面図である。
【図７】走行車右側の平面図である。
【図８】右施肥部背面図である。
【図９】左右施肥部平面図である。
【図１０】右施肥部側面図である。
【図１１】全体の平面配置説明図である。
【図１２】施肥ホース取付説明図である。
【図１３】掃除ホース取付説明図である。
【符号の説明】
（１）走行車
（１３）運転席
（１５）植付部
（１６）苗載台
（３６）施肥機
（４２）中央施肥部
（４３）左右施肥部
（４４）送肥ブロワ
（４５）ホッパ
（４９）中央施肥フレーム
（５０）左右施肥フレーム
（５２）支点アーム
（５３）回動支点軸
（５４）回動アーム
【図１】
0003628481.tif 000002
【図２】
0003628481.tif 000003
【図３】
0003628481.tif 000004
【図４】
0003628481.tif 000005
【図５】
0003628481.tif 000006
【図６】
0003628481.tif 000007
【図７】
0003628481.tif 000008
【図８】
0003628481.tif 000009
【図９】
0003628481.tif 000010
【図１０】
0003628481.tif 000011
【図１１】
0003628481.tif 000012
【図１２】
0003628481.tif 000013
【図１３】
0003628481.tif 000014